(57)【特許請求の範囲】
【請求項１】
ケース部材と、
前記ケース部材内に配置され、磁石が取り付けられる磁石取付部材と、
前記ケース部材内に配置され、前記磁石取付部材に取り付けられた前記磁石による磁場の変化を感知するホールセンサーが設けられる内部固定部材と、
発光ランプが設けられた発光基板部材と、
を備え、
前記磁石取付部材が前記内部固定部材に対して相対的に回転しながら前記磁石及び前記ホールセンサーの位置が可変であり、これに伴う磁場の変化値が前記ホールセンサーにより感知され、前記ホールセンサーにより感知された磁場の変化値に基づいて前記発光ランプの発光状態が可変であり、
前記ケース部材は、前記磁石取付部材が連結される下部ケースと、前記内部固定部材が連結される上部ケースと、を備え、前記下部ケース及び前記上部ケースは回転自在に連結されて、外力により前記下部ケース及び前記上部ケースのうちのいずれか一方が回転することにより、前記磁石及び前記ホールセンサーの位置が可変であり、
前記内部固定部材は、前記基板部材が載置可能な内部固定胴体と、前記内部固定胴体から前記磁石取付部材に向かって突出して前記磁石取付部材と当接し、前記ホールセンサーが嵌着される内部突出柱と、前記内部固定胴体にバッテリーが固定されるように前記内部固定胴体に形成されるバッテリー固定部材と、を備え、
前記磁石取付部材は、前記内部突出柱と当接する磁石取付胴体と、前記磁石取付胴体の下端に前記磁石が取付け可能なように磁石取付溝を形成する複数の磁石取付溝形成部と、を備えることを特徴とする釣り用発光浮き。
【請求項２】
前記内部突出柱にリング状の重りが貫通されるか、或いは、複数の前記磁石取付溝のうち前記磁石が取り付けられたものを除く他の磁石取付溝に重りが嵌入することにより、前記釣り用発光浮きの浮力が可変であることを特徴とする請求項１に記載の釣り用発光浮き。
【請求項３】
前記下部ケースが前記上部ケースと連結された状態で前記磁石が外部に露出されるように、前記下部ケースから前記磁石取付溝形成部以下の部分は別途に取り外し可能であることを特徴とする請求項１に記載の釣り用発光浮き。
【請求項４】
前記釣り用発光浮きは、当たりが感知可能な当たり感知センサーを備えることを特徴とする請求項１に記載の釣り用発光浮き。
【請求項５】
前記当たり感知センサーは、センサーケースの底面に緩衝用バネが配設され、前記緩衝用バネの上に球状の感知用移動重りが配置され、前記センサーケースの内面の上側に静電容量感知部が設けられることを特徴とする請求項４に記載の釣り用発光浮き。
【請求項６】
前記当たり感知センサーは、魚類が引っ張る当たりにより前記ケース部材が下降するときに水に直接的に触れながらその触れるときの静電容量の変化を感知する方式を用いて当たりを感知することを特徴とする請求項４に記載の釣り用発光浮き。
【請求項７】
前記ホールセンサーにより感知された磁場の変化値に基づいて前記発光ランプのオン／オフ、色の変化及び明るさの変化のうちの少なくともいずれか一つが可変であることを特徴とする請求項１に記載の釣り用発光浮き。
【請求項８】
上部ケースと、
前記上部ケースの外部に回転自在に設けられ、磁石が嵌め込まれる外部上側回転部材と、
前記上部ケース内に配置されて、前記外部上側回転部材に取り付けられた前記磁石による磁場の変化を感知するホールセンサーと、
前記上部ケース内に配置され、発光ランプが設けられた発光基板部材と、
前記上部ケースと連結される下部ケースと、
前記下部ケースの外部に回転自在に設けられ、浮力の可変のための重りが嵌入可能な外部下側回転部材と、を備え、
前記外部上側回転部材が前記上部ケースに対して相対的に回転しながら前記磁石及び前記ホールセンサーの位置が可変であり、これに伴う磁場の変化値が前記ホールセンサーにより感知され、前記ホールセンサーにより感知された磁場の変化値に基づいて前記発光ランプの発光状態が可変であることを特徴とする釣り用発光浮き。
【請求項９】
前記釣り用発光浮きは、
前記上部ケースの内部に設けられてバッテリーを固定するバッテリー固定部材を備え、
前記バッテリー固定部材は、
前記上部ケースの下部に設けられるバッテリー固定体と、
前記バッテリー固定体に連結されて前記バッテリーの一方の極と前記発光基板部材とを連結する第１の電極連結体と、
前記バッテリー固定体に連結されて前記バッテリーの他方の極と前記発光基板部材とを連結する第２の電極連結体と、を備え、
前記バッテリー固定体は、
前記上部ケースの下部に嵌設され、内部が空きシリンダー状を呈するバッテリー固定胴体と、
前記バッテリー固定胴体の内側の中央部に満たされる固定部と、
前記固定部を貫通形成される固定部貫通孔と、
前記バッテリー固定胴体の上端に形成されて前記発光基板部材の下端が嵌入連結される基板嵌入溝と、を備え、
前記第１の電極連結体は、
前記バッテリーの陽極部分であるバッテリー胴体が通電自在に嵌入する第１の下部電極体と、
前記発光基板部材と通電自在に連結される第１の上部電極体と、
前記第１の下部電極体と前記第１の上部電極体とを連結する第１の連結体と、を備え、
前記第２の電極連結体は、
前記バッテリーの陰極部分であるバッテリーの上部の突出体が通電自在に嵌入する第２の下部電極体と、
前記発光基板部材と通電自在に連結される第２の上部電極体と、
前記第２の下部電極体と前記第２の上部電極体とを連結する第２の連結体と、を備えることを特徴とする請求項８に記載の釣り用発光浮き。
【発明の詳細な説明】
【技術分野】
【０００１】
本発明は、釣り用発光浮きに関する。
【背景技術】
【０００２】
釣り用発光浮きは、釣り糸で吊り下げられて水面に浮いた状態で浮き（フロート）の役割を果たしながら、夜間などの視野がよくない状況下でそのような釣り糸の入水位置を確認可能にするものである。
【０００３】
従来の釣り用発光浮きの例として挙げられるものが、大韓民国公開特許第１０−２００４−００３８９３５号（公開日：２００４年０５月０８日、発明の名称：釣り用発光浮き）、大韓民国公開特許第１０−２００５−００８３５０２号（公開日：２００５年０８月２６日、発明の名称：発光浮き）である。
【０００４】
しかしながら、従来の釣り用発光浮きによれば、ほとんどの場合、バッテリーを装着した状態でオン／オフの調節さえ手軽に行うことができないため、余計なバッテリーの無駄使いが多すぎることはもとより、ユーザーの好み、周りの状況などに応じて発光ランプの発光状態を変更しようとしても、そのような発光状態の変更を行い難いという欠点があった。
【先行技術文献】
【特許文献】
【０００５】
【特許文献１】大韓民国公開特許第１０−２００４−００３８９３５号（公開日：２００４年０５月０８日、発明の名称：釣り用発光浮き）
【特許文献２】大韓民国公開特許第１０−２００５−００８３５０２号（公開日：２００５年０８月２６日、発明の名称：発光浮き）
【発明の概要】
【発明が解決しようとする課題】
【０００６】
本発明は、余計なバッテリーの無駄使いを防ぎ、しかも、発光ランプの発光状態が手軽に可変である釣り用発光浮きを提供することを一つの目的とする。
【課題を解決するための手段】
【０００７】
本発明の一側面による釣り用発光浮きは、ケース部材と、前記ケース部材内に配置され、磁石が取り付けられる磁石取付部材と、前記ケース部材内に配置され、前記磁石取付部材に取り付けられた前記磁石による磁場の変化を感知するホールセンサーが設けられる内部固定部材と、発光ランプが設けられた発光基板部材と、を備え、前記磁石取付部材が前記内部固定部材に対して相対的に回転しながら前記磁石及び前記ホールセンサーの位置が可変であり、これに伴う磁場の変化値が前記ホールセンサーにより感知され、前記ホールセンサーにより感知された磁場の変化値に基づいて前記発光ランプの発光状態が可変であることを特徴とする。
【発明の効果】
【０００８】
本発明の一側面による釣り用発光浮きによれば、釣り用発光浮きがケース部材、磁石取付部材、内部固定部材及び発光基板部材を備えることにより、磁石取付部材が内部固定部材に対して相対的に回転しながら磁石及びホールセンサーの位置が可変であり、それに伴う磁場の変化値がホールセンサーにより感知され、ホールセンサーにより感知された磁場の変化値に基づいて発光ランプの発光状態が可変であるので、発光ランプのオン／オフが手軽に調節されて余計なバッテリーの無駄使いが防がれ、オン／オフ、色の変化、明るさの変化など発光ランプの発光状態が手軽に可変であるという効果がある。
【図面の簡単な説明】
【０００９】
【図１】本発明の第１の実施形態による釣り用発光浮きを正面から眺めた断面図である。
【図２】本発明の第１の実施形態による内部固定部材の底面図である。
【図３】本発明の第１の実施形態による磁石取付部材を平面図である。
【図４】本発明の第１の実施形態による当たり感知部材の構成を示す断面図である。
【図５】本発明の第２の実施形態による釣り用発光浮きを正面から眺めた断面図である。
【図６】本発明の第３の実施形態による釣り用発光浮きを正面から眺めた断面図である。
【図７】本発明の第３の実施形態による釣り用発光浮きを構成するバッテリー固定部材の分解された様子を示す斜視図である。
【図８】本発明の第３の実施形態による釣り用発光浮きを構成するバッテリー固定部材の組み合わせられた様子を示す斜視図である。
【発明を実施するための形態】
【００１０】
以下、添付図面に基づき、本発明の実施形態による釣り用発光浮きについて説明する。
図１は、本発明の第１の実施形態による釣り用発光浮きを正面から眺めた断面図であり、図２は、本発明の第１の実施形態による内部固定部材の底面図であり、図３は、本発明の第１の実施形態による磁石取付部材の平面図であり、図４は、本発明の第１の実施形態による当たり感知部材の構成を示す断面図である。
【００１１】
図１乃至図４を参照すると、本発明の実施形態による釣り用発光浮き１００は、ケース部材１１０と、磁石取付部材１２０と、内部固定部材１４０と、発光基板部材１６０と、を備える。
【００１２】
前記釣り用発光浮き１００の中央部には上下に貫通孔１０１が貫設されて、前記貫通孔１０１に釣り糸が貫通される。
【００１３】
前記ケース部材１１０は、前記磁石取付部材１２０が内部に連結される下部ケース１１１と、前記内部固定部材１４０が内部に連結される上部ケース１１３と、を備える。
前記下部ケース１１１及び前記上部ケース１１３はそれぞれ半球状に形成されて、前記下部ケース１１１及び前記上部ケース１１３が組み合わせられて上下に長尺な球体が形成される。なお、前記上部ケース１１３は半透明プラスチックなど水に浮遊可能でありながらも、光が外部に表出可能な材質からなることが好ましい。
【００１４】
また、前記ケース部材１１０は、前記上部ケース１１３の内面の中央から前記下部ケース１１１の上部に至るまで突出して前記貫通孔１０１を形成する貫通孔形成柱１１４と、前記下部ケース１１１の内面の中央から所定の長さだけ突出して前記貫通孔形成柱１１４の下部が回転自在に嵌入しながら支持される支柱１１２と、を備える。
【００１５】
前記貫通孔形成柱１１４及び前記支柱１１２の間には、密閉のためのＯリング１０６が配設される。
【００１６】
前記上部ケース１１３と前記下部ケース１１１とが連結される面の上には噛合可能なねじ山１１５が形成されて、前記上部ケース１１３及び前記下部ケース１１１が互いに分離されないつつも相対的に回転可能になり、前記ねじ山１１５が形成された箇所には密閉のためのＯリング１１６が配設される。
【００１７】
前記磁石取付部材１２０は、前記ケース部材１１０内、詳しくは、前記下部ケース１１１内に配置され、永久磁石である磁石１３０が配設されるものである。
【００１８】
詳しくは、前記磁石取付部材１２０は円板状に形成されてその外周面が前記下部ケース１１１の内面に当接し、その胴体の上に後述する内部突出柱１４２が当接する磁石取付胴体１２１と、前記磁石取付胴体１２１の下端から所定の長さだけ複数突出して前記磁石１３０が取付け可能なように磁石取付溝を形成する複数の磁石取付溝形成部１２２と、を備える。
【００１９】
前記磁石取付部材１２０の中央部は貫通された形状を呈して前記貫通孔形成柱１１４が回転自在に貫通され、前記磁石取付部材１２０の中央部の貫通された孔の周りから円柱状の磁石取付部材側の柱１２３が突出する。
【００２０】
前記磁石取付部材側の柱１２３は、前記支柱１１２の外周面を取り囲むように突出して、前記磁石取付部材１２０が前記下部ケース１１１内に固定されるようにする。
【００２１】
前記内部固定部材１４０は、前記ケース部材１１０内、詳しくは、前記上部ケース１１３内に配置され、前記磁石取付部材１２０に取り付けられた前記磁石１３０による磁場の変化を感知するホールセンサー（ｈａｌｌ ｓｅｎｓｏｒ）１５０が設けられるものである。
【００２２】
詳しくは、前記内部固定部材１４０は、前記発光基板部材１６０がその上端に載置可能なように円板状を呈する内部固定胴体１４１と、前記内部固定胴体１４１の中央部から所定の距離だけ偏心した個所から前記磁石取付部材１２０に向かって突出して前記磁石取付部材１２０と当接する内部突出柱１４２と、前記内部固定胴体１４１にバッテリー１０２が固定されるように前記内部固定胴体１４１に形成されるバッテリー固定部材１４３と、を備える。
【００２３】
前記内部固定胴体１４１は、前記上部ケース１１３に固定される。
前記内部突出柱１４２の下部に前記ホールセンサー１５０が嵌設される。
また、前記内部突出柱１４２には、当たり（釣りで、魚が餌に食いついた動きが浮きや糸・竿を通して伝わってくること）を感知可能な当たり感知センサー１５５が嵌設される。
【００２４】
前記当たり感知センサー１５５は、センサーケース１５６の底面に緩衝用バネ１５７が設けられてもよく、前記緩衝用バネ１５７の上に球状の感知用移動重り１５８が配置され、前記センサーケース１５６の内面の上側に静電容量感知部１５９が設けられる。すると、魚が餌に食いついた動きが浮きや糸・竿を通して伝わってくると、前記釣り用発光浮き１００が瞬時に下降し、これにより、前記感知用移動重り１５８が前記センサーケース１５６内において浮き上がって前記静電容量感知部１５９に触れることにより、前記当たり感知センサー１５５が当たりを感知することが可能になる。
【００２５】
上述した当たり感知センサー１５５の構成は単なる例示に過ぎず、当たりを感知可能な他の様々な方式のセンサーが適用可能であるということはいうまでもない。
【００２６】
例えば、本発明の実施形態においては、水銀電池など円板状のバッテリー１０２が設けられ、このようなバッテリー１０２が前記バッテリー固定部材１４３に設けられる。前記バッテリー固定部材１４３には前記バッテリー１０２と連結されるための電極１０３が設けられ、その電極１０３は前記発光基板部材１６０と電気的に連通される。
【００２７】
前記発光基板部材１６０には、発光ダイオード（ＬＥＤ）などの発光ランプ１６１が設けられ、前記発光ランプ１６１の発光のための各種の回路が形成されたものであり、前記内部固定胴体１４１の上端に載置されるものである。
【００２８】
前記ホールセンサー１５０及び前記発光基板部材１６０は、互いに信号をやり取りするように連結され、前記バッテリー１０２と連結されて電気の供給を受ける。
【００２９】
このように構成すると、前記磁石取付部材１２０が前記内部固定部材１４０に対して相対的に回転しながら前記磁石１３０及び前記ホールセンサー１５０の位置が可変であり、それに伴う磁場の変化値が前記ホールセンサー１５０により感知され、前記ホールセンサー１５０により感知された磁場の変化値に基づいて前記発光ランプ１６１の発光状態が可変である。
【００３０】
前記ホールセンサー１５０により感知された磁場の変化値に基づいて前記発光ランプ１６１のオン／オフ、色の変化及び明るさの変化のうちの少なくともいずれか一つが可変である。
【００３１】
前記ねじ山１１５が形成されることにより、前記下部ケース１１１及び前記上部ケース１１３が相互に対して相対的に回転自在に連結されて、外力により前記下部ケース１１１及び前記上部ケース１１３のうちのいずれか一方が回転すると、前記磁石１３０及び前記ホールセンサー１５０の位置が可変である。
【００３２】
本発明の実施形態においては、前記内部突出柱１４２にリング状の重り１０５が貫通されるか、或いは、複数の前記磁石取付溝のうち前記磁石１３０が設けられたものを除く他の磁石取付溝に重りが嵌入することにより、前記釣り用発光浮き１００の浮力が可変である。
【００３３】
以下、前記釣り用発光浮き１００の作動について簡略に説明する。
前記バッテリー１０２が前記内部固定部材１４０に設けられたままで前記ねじ山１１５が噛み合うように前記上部ケース１１３及び前記下部ケース１１１が組み合わせられた状態で、ユーザーの外力により前記上部ケース１１３及び前記下部ケース１１１のうちのいずれか一方が回転すると、前記ホールセンサー１５０と前記磁石１３０との間の距離が可変であり、これにより、前記ホールセンサー１５０により感知される磁場値が可変である。
前記ホールセンサー１５０により感知される磁場の変化値に基づいて前記発光基板部材１６０における前記発光ランプ１６１の発光状態を可変とする。
【００３４】
例えば、前記ホールセンサー１５０において磁場の変化が感知されると、前記発光ランプ１６１を１段階の状態でオンにし、前記ホールセンサー１５０において再び磁場の変化が感知されると、前記発光ランプ１６１をオフにし、前記ホールセンサー１５０において再び磁場の変化が感知されると、前記発光ランプ１６１を２段階の状態でオンにし、前記ホールセンサー１５０において再び磁場の変化が感知されると、前記発光ランプ１６１を再びオフにする。このような前記ホールセンサー１５０において感知される磁場の変化が繰り返される度に前記発光ランプ１６１がそれぞれ異なる段階の状態でオンになってからオフになる。
【００３５】
ここで、前記発光ランプ１６１がオンになる各段階は、予め前記発光基板部材１６０に設定されているものであり、１段階は薄い赤色で発光し、２段階は濃い赤色で発光し、３段階は薄い緑色で発光し、４段階は濃い緑色で発光し、５段階は薄い青色で発光し、かつ、６段階は濃い青色で発光するなど種々に設定可能である。
【００３６】
もちろん、このような状態変化は単なる例示的なものに過ぎず、磁場の変化値に基づいて様々な発光状態可変が設定可能である。
【００３７】
このように構成すると、ユーザーは前記下部ケース１１１及び前記上部ケース１１３のうちのいずれか一方を回転さえすればよく、このような回転に伴い前記発光ランプ１６１が自動的にオン／オフになることはもとより、オンになる度に他の状態で発光可能になる。
【００３８】
上述したように、前記釣り用発光浮き１００がケース部材１１０、磁石取付部材１２０、内部固定部材１４０及び発光基板部材１６０を備えることにより、磁石取付部材１２０が内部固定部材１４０に対して相対的に回転しながら磁石１３０及びホールセンサー１５０の位置が可変であり、それに伴う磁場の変化値がホールセンサー１５０により感知され、ホールセンサー１５０により感知された磁場の変化値に基づいて発光ランプ１６１の発光状態が可変であるので、発光ランプ１６１のオン／オフが手軽に調節されて余計なバッテリー１０２の無駄使いが防がれ、オン／オフ、色の変化、明るさの変化など発光ランプ１６１の発光状態が手軽に可変である。
【００３９】
以下、添付図面に基づき、本発明の他の実施形態による釣り用発光浮きについて説明する。このような説明を行うに当たって、上述した本発明の第１の実施形態において既に記載された内容と重複する説明は省略する。
【００４０】
図５は、本発明の第２の実施形態による釣り用発光浮きを正面から眺めた断面図である。
図５を参照すると、本発明の実施形態においては、下部ケース２１１が上部ケース２１３と連結された状態で磁石２３０が外部に露出されるように、前記下部ケース２１１から磁石取付溝形成部２１９以下の部分が蓋体２１７により別途に取り外される。
【００４１】
前記蓋体２１７は、前記下部ケース２１１に着脱自在に連結されながら、前記下部ケース２１１を向く方向に前記磁石取付溝形成部２１９が突設されたものであり、前記下部ケース２１１及び前記上部ケース２１３の内部に対する防水構造に影響を及ぼさないつつ、前記蓋体２１７さえ回せば、前記磁石取付溝形成部２１９に嵌入した磁石２３０が簡単に回転可能であることはもとより、前記蓋体２１７が取り外されると、簡単に前記磁石取付溝形成部２１９に嵌入した前記磁石２３０及び重りの着脱が行われる。
【００４２】
図６は、本発明の第３の実施形態による釣り用発光浮きを正面から眺めた断面図であり、図７は、本発明の第３の実施形態による釣り用発光浮きを構成するバッテリー固定部材の分解された様子を示す斜視図であり、図８は、本発明の第３の実施形態による釣り用発光浮きを構成するバッテリー固定部材の組み合わせられた様子を示す斜視図である。
【００４３】
図６乃至図８を参照すると、本発明の実施形態による釣り用発光浮き３００においては、上部ケース３１０及び下部ケース３２０がそれぞれ所定の長さだけ長尺に形成される。
前記上部ケース３１０は、所定の長さだけ長尺に内部が空いたシリンダー状に形成されるケース胴体３１１と、前記ケース胴体３１１の外側の中央部から上側に向かって所定の長さだけ長く突出して内部の光が外部に吐出されるようにする光吐出柱３１２と、を備える。
【００４４】
前記上部ケース３１０下部には、密閉のためのＯリング３１４と、前記下部ケース３２０との組み合わせのためのねじ山３１３と、が形成される。
【００４５】
前記上部ケース３１０内には発光基板部材３６０が嵌設され、前記発光基板部材３６０の上側の中央部に発光ランプ３６１が設けられる。前記発光ランプ３６１は、前記光吐出柱３１２の入り口に配置されて、前記発光ランプ３６１から発せられた光が前記光吐出柱３１２を介して外部に吐き出される。
【００４６】
図面符号３７０は、前記上部ケース３１０の内部に設けられて長尺なバッテリー３０２を固定するバッテリー固定部材である。
【００４７】
詳しくは、前記バッテリー固定部材３７０は、前記上部ケース３１０の下部に設けられるバッテリー固定体３７１と、前記バッテリー固定体３７１に連結されて前記バッテリー３０２の一方の極、例えば、陽極と前記発光基板部材３６０とを連結する第１の電極連結体３７６と、前記バッテリー固定体３７１に連結されて前記バッテリー３０２の他方の極、例えば、陰極と前記発光基板部材３６０とを連結する第２の電極連結体３８０と、を備える。
【００４８】
前記バッテリー固定体３７１は前記上部ケース３１０の下部に嵌設され、内部が空いたシリンダー状を呈するバッテリー固定胴体３７２と、前記バッテリー固定胴体３７２の内側の中央部に満たされる固定部３７４と、前記固定部３７４を貫通形成されて前記バッテリー３０２のバッテリー胴体が貫通される固定部貫通孔３７３と、前記バッテリー固定胴体３７２の上端に形成されて前記発光基板部材３６０の下端が嵌入連結される基板嵌入溝３７５と、を備える。
【００４９】
前記第１の電極連結体３７６は、前記バッテリー３０２の陽極部分であるバッテリー胴体が通電可能に嵌入する第１の下部電極体３７７と、前記発光基板部材３６０と通電可能に連結される第１の上部電極体３７９と、前記第１の下部電極体３７７と前記第１の上部電極体３７９とを連結する第１の連結体３７８と、を備え、全体的に銅など通電可能な金属からなる。
【００５０】
前記第２の電極連結体３８０は、前記バッテリー３０２の陰極部分であるバッテリー上部の突出体が通電可能に嵌入する第２の下部電極体３８１と、前記発光基板部材３６０と通電可能に連結される第２の上部電極体３８３と、前記第２の下部電極体３８１と前記第２の上部電極体３８３とを連結する第２の連結体３８２と、を備え、全体的に銅など通電可能な金属からなる。
【００５１】
前記第１の下部電極体３７７及び前記第２の下部電極体３８１は、その一部が開放されたＣ字状の断面を有するようにそれぞれ形成されることにより、それぞれ噛み合うバッテリー部分が嵌入するときにそのＣ字状の開放された部分が僅かに拡開されてから前記第１の下部電極体３７７及び前記第２の下部電極体３８１それ自体の張力によりそれぞれ噛み合うバッテリー部分を隙間無く密接に把持することができ、これにより、前記第１の下部電極体３７７及び前記第２の下部電極体３８１にそれぞれ噛み合うバッテリー部分との接触不良が防がれる。
【００５２】
前記バッテリー固定体３７１に嵌着された前記バッテリー３０２の陰極が前記第１の電極連結体３７６と連結され、前記バッテリー３０２の陽極が前記第２の電極連結体３８０と連結されることにより、前記バッテリー３０２が前記発光基板部材３６０と電気的に接続される。
【００５３】
図面符号３５０は、前記上部ケース３１０の内部である前記発光基板部材３６０の上側の中央部から偏心した個所に設けられて、後述する外部上側回転部材３４０に設けられた磁石３３０による磁場の変化を感知するホールセンサーである。
【００５４】
また、図面符号３９０は、前記光吐出柱３１２の内部に嵌設されて当たりを感知可能な当たり感知センサーである。前記当たり感知センサー３９０は、魚類が引っ張る当たりにより前記光吐出柱３１２が下降するときに水に直接的に触れながらその触れるときの静電容量の変化を感知する方式を用いて当たりを感知するセンサーである。
【００５５】
前記光吐出柱３１２には外部上側回転部材３４０が回転自在に設けられる。前記外部上側回転部材３４０の底面には複数の孔３４１が形成され、これらのうちの少なくとも一つに磁石３３０が設けられて、前記ホールセンサー３５０と反応する。もちろん、前記孔３４１の一部には浮力の調節のための重りが嵌設される。
【００５６】
前記下部ケース３２０は、 所定の長さだけ長尺に内部が空いたシリンダー状に形成されるケース胴体３２１と、前記ケース胴体３２１の外側の中央部から上側に向かって所定の長さだけ長く突出してする突出柱３２２と、を備える。
【００５７】
前記下部ケース３２０の上部には、前記上部ケース３１０のねじ山３１３と係合可能なねじ山３２３が形成されることにより、前記上部ケース３１０と前記下部ケース３２０とが互いに連結される。
【００５８】
前記下部ケース３２０の外部である前記突出柱３２２には外部下側回転部材３４５が回転自在に設けられる。前記外部下側回転部材３４５の上面には複数の孔が形成され、これらのうちの少なくとも一つに浮力の調節のための重り３０５が嵌設される。
【００５９】
上述したように、前記重り３０５が前記外部下側回転部材３４５はもとより、前記外部上側回転部材３４０にも嵌設可能になることにより、浮力の調節をきめ細かく行うことが可能になる。
【００６０】
ユーザーの外力により前記外部上側回転部材３４０が前記上部ケース３１０に対して相対的に回転しながら前記磁石３３０及び前記ホールセンサー３５０の位置が可変であり、それに伴う磁場の変化値が前記ホールセンサー３５０により感知され、前記ホールセンサー３５０により感知された磁場の変化値に基づいて前記発光ランプ３６１の発光状態が可変である。
【００６１】
以上、本発明は、特定の実施形態に関して図示及び説明されたが、当業界における通常の知識を有する者であれば、以下の特許請求の範囲に記載の本発明の思想及び領域を逸脱しない範囲内において本発明を種々に修正及び変更することができるということが理解できる筈である。しかしながら、これらの修正及び変形構造はいずれも本発明の権利範囲内に含まれるものであるということはいうまでもない。
【産業上の利用可能性】
【００６２】
本発明の一側面による釣り用発光浮きによれば、余計なバッテリーの無駄使いを防ぎ、発光ランプの発光状態が手軽に可変となるので、その産業上の利用可能性が高いものであるといえる。
【図１】
0006629331.tif 000002
【図２】
0006629331.tif 000003
【図３】
0006629331.tif 000004
【図４】
0006629331.tif 000005
【図５】
0006629331.tif 000006
【図６】
0006629331.tif 000007
【図７】
0006629331.tif 000008
【図８】
0006629331.tif 000009